(57)【要約】【課題】ファントムセルに在圏中の移動局ＵＥに対して報知情報を届ける。【解決手段】本発明に係る移動通信システムは、ファントムセル＃１〜＃１３において在圏中或いは通信中の移動局ＵＥに対して、移動局ＵＥが在圏中及び通信中でないマクロセル＃Ａにおける報知情報を参照するように指示する参照指示情報を送信するように構成されている。【選択図】図４
2014060510.tif 000002
【特許請求の範囲】
【請求項１】
第１セルと、該第１セルのカバレッジエリアに少なくとも一部で重なるカバレッジエリアを有する第２セルとを具備する移動通信システムであって、
前記第１セルにおいて在圏中或いは通信中の移動局に対して、該移動局が在圏中及び通信中でない前記第２セルにおける報知情報を参照するように指示する参照指示情報を送信するように構成されていることを特徴とする移動通信システム。
【請求項２】
第１セルと、該第１セルのカバレッジエリアに少なくとも一部で重なるカバレッジエリアを有する第２セルとを具備する移動通信システムで用いられる無線基地局であって、
前記第１セルにおいて在圏中或いは通信中の移動局に対して、該移動局が在圏中及び通信中でない前記第２セルにおける報知情報を参照するように指示する参照指示情報を送信するように構成されている送信部を具備することを特徴とする無線基地局。
【請求項３】
前記送信部は、前記移動局に対して、ページング信号を用いて、前記参照指示情報を送信するように構成されていることを特徴とする請求項２に記載の無線基地局。
【請求項４】
前記送信部は、前記第１セルを介して、前記参照指示情報を送信するように構成されていることを特徴とする請求項２又は３に記載の無線基地局。
【請求項５】
前記送信部は、前記参照指示情報に、前記移動局による前記報知情報の参照が完了した時点で前記第１セルに復帰するように指示する情報要素を含めるように構成されていることを特徴とする請求項２乃至４のいずれか一項に記載の無線基地局。
【請求項６】
第１セルと、該第１セルのカバレッジエリアに少なくとも一部で重なるカバレッジエリアを有する第２セルとを具備する移動通信システムで用いられる移動局であって、
前記第１セルにおいて在圏中或いは通信中である場合に、参照指示情報を受信するように構成されている受信部を具備しており、
前記受信部は、前記参照指示情報に基づいて、前記移動局が在圏中及び通信中でない第２セルにおける報知情報を参照するように構成されていることを特徴とする移動局。
【請求項７】
前記受信部は、ページング信号を介して、前記参照指示情報を受信するように構成されていることを特徴とする請求項６に記載の移動局。
【請求項８】
前記受信部は、前記第１セルを介して、前記参照指示情報を受信するように構成されていることを特徴とする請求項６又は７に記載の移動局。
【請求項９】
前記受信部によって受信された前記参照指示情報に所定情報要素が含まれている場合に、前記報知情報の参照が完了した時点で、前記第１セルに復帰することを決定するように構成されている制御部を具備することを特徴とする請求項６乃至８のいずれか一項に記載の移動局。
【発明の詳細な説明】
【技術分野】
【０００１】
本発明は、移動通信システム、無線基地局及び移動局に関する。
【背景技術】
【０００２】
ＬＴＥ（Ｌｏｎｇ  Ｔｅｒｍ  Ｅｖｏｌｕｔｉｏｎ）方式では、通信容量対策として、多数のファントム（Ｐｈａｎｔｏｍ）セルと呼ばれる小セルを配置する構成についての検討が行われている。
【先行技術文献】
【非特許文献】
【０００３】
【非特許文献１】３ＧＰＰ  ＴＳ３６.３００
【発明の概要】
【発明が解決しようとする課題】
【０００４】
無線リソースの効率的な利用の観点から、かかるファントムセルでは、報知情報を送信しないという運用形態、或いは、最低限の情報のみを含む報知情報を送信するという運用形態となることが想定される。
【０００５】
しかしながら、報知情報には、通信規制に係る情報や緊急情報の配信に係る情報等の重要な情報が含まれており、ファントムセルに在圏中の移動局ＵＥが、報知情報を受信することができないと様々な不具合が生じるという問題点があった。
【０００６】
そこで、本発明は、上述の課題に鑑みてなされたものであり、ファントムセルに在圏中の移動局ＵＥに対して、マクロセルを介して、必要な報知情報を届けることができる移動通信システム、無線基地局及び移動局を提供することを目的とする。
【課題を解決するための手段】
【０００７】
本発明の第１の特徴は、第１セルと、該第１セルのカバレッジエリアに少なくとも一部で重なるカバレッジエリアを有する第２セルとを具備する移動通信システムであって、前記第１セルにおいて在圏中或いは通信中の移動局に対して、該移動局が在圏中及び通信中でない前記第２セルにおける報知情報を参照するように指示する参照指示情報を送信するように構成されていることを要旨とする。
【０００８】
本発明の第２の特徴は、第１セルと、該第１セルのカバレッジエリアに少なくとも一部で重なるカバレッジエリアを有する第２セルとを具備する移動通信システムで用いられる無線基地局であって、前記第１セルにおいて在圏中或いは通信中の移動局に対して、該移動局が在圏中及び通信中でない前記第２セルにおける報知情報を参照するように指示する参照指示情報を送信するように構成されている送信部を具備することを要旨とする。
【０００９】
本発明の第３の特徴は、第１セルと、該第１セルのカバレッジエリアに少なくとも一部で重なるカバレッジエリアを有する第２セルとを具備する移動通信システムで用いられる移動局であって、前記第１セルにおいて在圏中或いは通信中である場合に、参照指示情報を受信するように構成されている受信部を具備しており、前記受信部は、前記参照指示情報に基づいて、前記移動局が在圏中及び通信中でない第２セルにおける報知情報を参照するように構成されていることを要旨とする。
【発明の効果】
【００１０】
以上説明したように、本発明によれば、ファントムセルに在圏中の移動局ＵＥに対して報知情報を届けることができる移動通信システム、無線基地局及び移動局を提供することができる。
【図面の簡単な説明】
【００１１】
【図１】本発明の第１の実施形態に係る移動通信システムの全体構成図である。
【図２】本発明の第１の実施形態に係る無線基地局ＰｈＮＢ＃１の機能ブロック図である。
【図３】本発明の第１の実施形態に係る移動局ＵＥの機能ブロック図である。
【図４】本発明の第１の実施形態に係る移動通信システムの動作を示すシーケンス図である。
【発明を実施するための形態】
【００１２】
（本発明の第１の実施形態に係る移動通信システム）
図１乃至図４を参照して、本発明の第１の実施形態に係る移動通信システムについて説明する。
【００１３】
図１に示すように、本実施形態に係る移動通信システムは、ＬＴＥ方式の移動通信システムであって、無線基地局ｅＮＢ＃Ａによって管理されているマクロセル＃Ａと、無線基地局ＰｈＮＢ＃１によって管理されているファントムセル＃１〜＃１３とを具備している。
【００１４】
図１に示すように、マクロセル＃Ａのカバレッジエリア及びファントムセル＃１〜＃１３のカバレッジエリアは、少なくとも一部で重なるように配置されている。
【００１５】
なお、ファントムセル＃１〜＃１３は、１つの無線基地局ＰｈＮＢ＃１によって管理されていてもよいし、複数の無線基地局ＰｈＮＢによって管理されていてもよく、無線基地局ｅＮＢによって管理されていてもよい。また、ファントムセルは、マクロセルとは異なるセルであって、他の名称で呼ばれてもよい。
【００１６】
図２に示すように、本実施形態に係る無線基地局ＰｈＮＢ＃１は、受信部１１と、送信部１２とを具備している。
【００１７】
受信部１１は、無線基地局ｅＮＢ＃Ａや移動局ＵＥ等から各種信号を受信するように構成されており、送信部１２は、無線基地局ｅＮＢ＃１や移動局ＵＥ等から各種信号を受信するように構成されている。
【００１８】
例えば、受信部１１は、無線基地局ｅＮＢ＃Ａから、マクロセル＃Ａにおける報知情報が変更になったことを示す指示情報を受信するように構成されている。
【００１９】
また、送信部１２は、かかる指示情報に応じて、ファントムセル＃１〜＃１３において在圏中或いは通信中（ＤＲＸ状態）の移動局ＵＥに対して、マクロセル＃Ａにおける報知情報を参照するように指示する参照指示情報を送信するように構成されている。
【００２０】
例えば、送信部１２は、ファントムセル＃１〜＃１３において在圏中或いは通信中（ＤＲＸ状態）の移動局ＵＥに対して、ページング信号を用いて、上述の参照指示情報を送信するように構成されていてもよい。
【００２１】
また、送信部１２は、ファントムセル＃１〜＃１３を介して、上述の参照指示情報を送信するように構成されていてもよい。
【００２２】
また、送信部１２は、ファントムセル＃１〜＃１３における報知情報を用いて、上述の参照指示情報を送信するように構成されていてもよい。かかる報知情報は、通常のＬＴＥ方式で用いられる報知情報とは異なり、必要最小限の情報のみを含むものであってもよい。
【００２３】
さらに、送信部１２は、上述の参照指示情報に、移動局ＵＥによる報知情報の参照が完了した時点でファントムセル＃１〜＃１３に復帰するように指示する情報要素を含めるように構成されていてもよい。
【００２４】
図３に示すように、本実施形態に係る移動局ＵＥは、受信部２１と、制御部２２と、送信部２３とを具備している。
【００２５】
受信部２１は、無線基地局ｅＮＢ＃Ａや無線基地局ＰｈＮＢ＃１から各種信号を受信するように構成されている。
【００２６】
例えば、受信部２１は、移動局ＵＥがファントムセル＃１〜＃１３において在圏中或いは通信中である場合に、上述の参照指示情報を受信するように構成されている。
【００２７】
ここで、受信部２１は、かかる参照指示情報に基づいて、移動局ＵＥが在圏中及び通信中でないマクロセル＃Ａにおける報知情報を参照するように構成されている。
【００２８】
なお、受信部２１は、ページング信号を介して、かかる参照指示情報を受信するように構成されていてもよい。
【００２９】
また、受信部２１は、ファントムセル＃１〜＃１３を介して、かかる参照指示情報を受信するように構成されていてもよい。
【００３０】
制御部２２は、移動局ＵＥにおける各種制御を行うように構成されており、送信部２３は、無線基地局ｅＮＢ＃Ａや無線基地局ＰｈＮＢ＃１に対して各種信号を送信するように構成されている。
【００３１】
なお、制御部２２は、受信部２１によって受信された参照指示情報に所定情報要素が含まれている場合に、上述の報知情報の参照が完了した時点で、ファントムセル＃１〜＃１３に復帰することを決定するように構成されている。
【００３２】
以下、図４を参照して、本実施形態に係る移動通信システムの動作について説明する。
【００３３】
図４に示すように、無線基地局ｅＮＢ＃Ａは、無線基地局ＰｈＮＢ＃１に対して、ステップＳ１００１において、マクロセル＃Ａにおける報知情報が変更になったことを示す指示情報を送信する。
【００３４】
無線基地局ｅＮＢ＃Ａは、ステップＳ１００２Ａにおいて、ファントムセル＃１において在圏中或いは通信中（ＤＲＸ状態）の移動局ＵＥに対して、ページング信号を用いて、マクロセル＃Ａにおける報知情報を参照するように指示する参照指示情報を送信する。
【００３５】
或いは、無線基地局ｅＮＢ＃Ａは、ステップＳ１００２Ｂにおいて、ファントムセル＃１において在圏中或いは通信中（ＤＲＸ状態）の移動局ＵＥに対して、ファントムセル＃１における報知情報を用いて、マクロセル＃Ａにおける報知情報を参照するように指示する参照指示情報を送信してもよい。
【００３６】
移動局ＵＥは、かかる参照指示情報に応じて、ステップＳ１００３において、マクロセル＃Ａをサーチし、ステップＳ１００４において、マクロセル＃Ａにおいて、緊急地震速報等の緊急情報等を含む報知情報を取得する。
【００３７】
ステップＳ１００５において、  無線基地局ｅＮＢ＃Ａは、マクロセル＃Ａに在圏中の移動局ＵＥに対して、ページング信号を用いて、ファントムセル＃１に復帰するように指示する指示情報を送信する。
【００３８】
なお、かかる指示情報は、上述の参照指示情報内の情報要素として通知されてもよい。
【００３９】
ステップＳ１００６において、移動局ＵＥは、かかる指示情報に応じて、ファントムセル＃１に復帰する。
【００４０】
本実施形態に係る移動通信システムによれば、ファントムセルにおいて在圏中或いは通信中（ＤＲＸ状態）の移動局ＵＥに対してマクロセルにおける報知情報を取得させることができるため、既存の報知情報を送信しないファントムセルにおいて移動局ＵＥが在圏中或いは通信中のままであっても、通信規制に係る情報や緊急情報の配信に係る情報等の重要な情報を取得させることができる。
【００４１】
以上に述べた本実施形態の特徴は、以下のように表現されていてもよい。
【００４２】
本実施形態の第１の特徴は、ファントムセル＃１〜＃１３（第１セル）と、ファントムセル＃１〜＃１３のカバレッジエリアに少なくとも一部で重なるカバレッジエリアを有するマクロセル＃Ａ（第２セル）とを具備する移動通信システムであって、ファントムセル＃１〜＃１３において在圏中或いは通信中（ＤＲＸ状態）の移動局ＵＥに対して、移動局ＵＥが在圏中及び通信中でないマクロセル＃Ａにおける報知情報を参照するように指示する参照指示情報を送信するように構成されていることを要旨とする。
【００４３】
本実施形態の第２の特徴は、ファントムセル＃１〜＃１３と、ファントムセル＃１〜＃１３のカバレッジエリアに少なくとも一部で重なるカバレッジエリアを有するマクロセル＃Ａとを具備する移動通信システムで用いられる無線基地局ＰｈＮＢ＃１であって、ファントムセル＃１〜＃１３において在圏中或いは通信中（ＤＲＸ状態）の移動局ＵＥに対して、移動局ＵＥが在圏中及び通信中でないマクロセル＃Ａにおける報知情報を参照するように指示する参照指示情報を送信するように構成されている送信部１２を具備することを要旨とする。
【００４４】
本実施形態の第２の特徴において、送信部１２は、移動局ＵＥに対して、ページング信号を用いて、上述の参照指示情報を送信するように構成されていてもよい。
【００４５】
かかる構成によれば、ファントムセルにおいて在圏中或いは通信中（ＤＲＸ状態）の移動局ＵＥに対して、通信規制に係る情報や緊急情報の配信に係る情報等の重要な情報の配信が開始されたことを確実に通知することができる。
【００４６】
本実施形態の第２の特徴において、送信部１２は、ファントムセル＃１〜＃１３を介して、上述の参照指示情報を送信するように構成されていてもよい。
【００４７】
かかる構成によれば、移動局ＵＥは、ファントムセルにおいて在圏中又は通信中のままで、通信規制に係る情報や緊急情報の配信に係る情報等の重要な情報の配信が開始されたことを知ることができる。
【００４８】
本実施形態の第２の特徴において、送信部１２は、上述の参照指示情報に、移動局ＵＥによる報知情報の参照が完了した時点でファントムセル＃１〜＃１３に復帰するように指示する情報要素を含めるように構成されていてもよい。
【００４９】
かかる構成によれば、移動局ＵＥは、マクロセルにおける報知情報の取得という目的を達成した後に、自動的に、ファントムセル＃１〜＃１３に復帰することができるため、無線リソースやＲＡＣＨ信号リソースの適切な分配というファントムセル導入の効果を最大限に享受することができる。
【００５０】
本実施形態の第３の特徴は、ファントムセル＃１〜＃１３と、ファントムセル＃１〜＃１３のカバレッジエリアに少なくとも一部で重なるカバレッジエリアを有するマクロセル＃Ａとを具備する移動通信システムで用いられる移動局ＵＥであって、ファントムセル＃１〜＃１３において在圏中或いは通信中である場合に、参照指示情報を受信するように構成されている受信部２１を具備しており、受信部２１は、かかる参照指示情報に基づいて、移動局ＵＥが在圏中及び通信中でないマクロセル＃Ａにおける報知情報を参照するように構成されていることを要旨とする。
【００５１】
本実施形態の第３の特徴において、受信部２１は、ページング信号を介して、かかる参照指示情報を受信するように構成されていてもよい。
【００５２】
本実施形態の第３の特徴において、受信部２１は、ファントムセル＃１〜＃１３を介して、かかる参照指示情報を受信するように構成されていてもよい。
【００５３】
本実施形態の第３の特徴において、受信部２１によって受信された参照指示情報に所定情報要素が含まれている場合に、上述の報知情報の参照が完了した時点で、ファントムセル＃１〜＃１３に復帰することを決定するように構成されている制御部２２を具備してもよい。
【００５４】
なお、上述の移動局ＵＥや無線基地局ｅＮＢ＃Ａ/ＰｈＮＢ＃１の動作は、ハードウェアによって実施されてもよいし、プロセッサによって実行されるソフトウェアモジュールによって実施されてもよいし、両者の組み合わせによって実施されてもよい。
【００５５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃Ａ/ＰｈＮＢ＃１内に設けられていてもよい。また、かかる記憶媒体及びプロセッサは、ディスクリートコンポーネントとして移動局ＵＥや無線基地局ｅＮＢ＃Ａ/ＰｈＮＢ＃１内に設けられていてもよい。
【００５７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５８】
ｅＮＢ＃Ａ/ＰｈＮＢ＃１…無線基地局
ＵＥ…移動局
１１…管理部
１２、２１…受信部
１３…判定部
１４、２２…送信部
【図１】
2014060510.tif 000003
【図２】
2014060510.tif 000004
【図３】
2014060510.tif 000005
【図４】
2014060510.tif 000006